(57)【要約】テスト信号の送信の正確さを確認する方法およびシステムである。第１トランシーバ装置が第２トランシーバ装置にテスト信号を送信する。第１トランシーバ装置はワイヤレス方式である。第２トランシーバ装置はそのテスト信号を受信し、第２トランシーバ装置のユーザによるマニュアル介入なしに第１トランシーバ装置に戻すようにそのテスト信号を再送信する。付加的に第１トランシーバ装置は再送信された信号のテスト信号と異なる程度を表す指標を決定し、その決定された指標を表示することができる。
2005530441.tif 000002
【特許請求の範囲】
【請求項１】
ワイヤレス方式の第１トランシーバ装置によってテスト信号を第２トランシーバ装置に送信するステップと、
前記第２トランシーバ装置からのリターン信号を前記第１トランシーバ装置によって受信するステップと、
を備え、前記リターン信号は前記第２トランシーバ装置によって受信された後に前記第２トランシーバ装置によって前記第１トランシーバ装置に再送信されたテスト信号であり、前記第２トランシーバ装置のユーザによるマニュアル介入なしに前記第２トランシーバ装置による前記テスト信号の受信および再送信が成し遂げられる、
テスト信号の送信の正確さを確認する方法。
【請求項２】
前記第１トランシーバ装置による送信に先立って、前記第１トランシーバ装置において前記第１トランシーバ装置による送信および受信をイネーブルとするテストモードを活性化するステップをさらに備える、請求項１に記載の方法。
【請求項３】
前記第１トランシーバ装置による受信の後に、
前記リターン信号が前記テスト信号と異なる程度を表す指標を前記第１トランシーバ装置によって決定するステップと、
その決定された指標を前記第１トランシーバ装置によって表示するステップと、
をさらに備える請求項１に記載の方法。
【請求項４】
前記第１トランシーバ装置による送信に先立って、前記テストモードが前記第１トランシーバ装置による前記送信、受信、決定、および表示をイネーブルとするように前記第１トランシーバ装置におけるテストモードを活性化するステップをさらに備える請求項３に記載の方法。
【請求項５】
前記テスト信号がアナログ信号である請求項１に記載の方法。
【請求項６】
前記テスト信号がディジタル信号である請求項１に記載の方法。
【請求項７】
前記第２トランシーバ装置がワイヤレス方式である請求項１に記載の方法。
【請求項８】
前記第２トランシーバ装置が非ワイヤレス方式である請求項１に記載の方法。
【請求項９】
ワイヤレス方式の第１トランシーバ装置によって第２トランシーバ装置に送信されたテスト信号を前記第２トランシーバ装置によって受信するステップと、
前記第２トランシーバ装置のユーザによるマニュアル介入なしに前記第１トランシーバ装置へのテスト信号を前記第２トランシーバ装置によって再送信するステップと、
を備える、テスト信号を再送信する方法。
【請求項１０】
前記第２トランシーバ装置による前記受信に先立って、前記第２トランシーバ装置による前記受信および送信をイネーブルとするテストモードを前記第２トランシーバ装置において活性化するステップ、
をさらに備える請求項９に記載の方法。
【請求項１１】
前記テスト信号がアナログ信号である請求項９に記載の方法。
【請求項１２】
前記テスト信号がディジタル信号である請求項９に記載の方法。
【請求項１３】
前記第２トランシーバ装置がワイヤレス方式である請求項９に記載の方法。
【請求項１４】
前記第２トランシーバ装置が非ワイヤレス方式である請求項９に記載の方法。
【請求項１５】
ワイヤレス方式の第１トランシーバ装置を備えた、テスト信号の送信の正確さを確認するシステムであって、前記第１トランシーバ装置が、
第２トランシーバ装置に前記テスト信号を送信し、かつ
前記第２トランシーバ装置からのリターン信号を受信する、
ように構成され、前記リターン信号は前記第２トランシーバ装置によって受信された後に前記第２トランシーバ装置によって前記第１トランシーバ装置に再送信されたテスト信号であり、前記第２トランシーバ装置のユーザによるマニュアル介入なしに前記第２トランシーバ装置による前記テスト信号の受信および再送信が成し遂げられる、
テスト信号の送信の正確さを確認するシステム。
【請求項１６】
前記第１トランシーバ装置は、前記テスト信号の送信および前記リターン信号の受信をイネーブルとするように活性化されるように構成されたテストモードを備えている請求項１５に記載のシステム。
【請求項１７】
前記第１トランシーバ装置はさらに、
前記リターン信号が前記テスト信号と異なる程度を表す指標を決定し、
その決定された指標を表示する、
ように構成されている請求項１５に記載のシステム。
【請求項１８】
前記第１トランシーバ装置は、前記テスト信号の送信、前記リターン信号の受信、前記指標の決定、および前記指標の表示をイネーブルとするように活性化されるテストモードを備えている請求項１５に記載のシステム。
【請求項１９】
前記テスト信号がアナログ信号である請求項１４に記載のシステム。
【請求項２０】
前記テスト信号がディジタル信号である請求項１４に記載のシステム。
【請求項２１】
前記第２トランシーバ装置がワイヤレス方式である請求項１４に記載のシステム。
【請求項２２】
前記第２トランシーバ装置が非ワイヤレス方式である請求項１４に記載のシステム。
【請求項２３】
ワイヤレス方式の第１トランシーバ装置によって第２トランシーバ装置に送信されたテスト信号を受信し、かつ
前記第２トランシーバ装置のユーザによるマニュアル介入なしに前記第１トランシーバ装置に前記テスト信号を再送信する、
ように構成された第２トランシーバ装置を備えている、テスト信号を再送信するシステム。
【請求項２４】
前記第２トランシーバ装置は、前記第２トランシーバ装置による前記テスト信号の受信および再送信をイネーブルとするように活性化されるように構成されたテストモードを備えている請求項２３に記載のシステム。
【請求項２５】
前記テスト信号がアナログ信号である請求項２３に記載のシステム。
【請求項２６】
前記テスト信号がディジタル信号である請求項２３に記載のシステム。
【請求項２７】
前記第２トランシーバ装置がワイヤレス方式である請求項２３に記載のシステム。
【請求項２８】
前記第２トランシーバ装置が非ワイヤレス方式である請求項２３に記載のシステム。
【発明の詳細な説明】
【技術分野】
【０００１】
本発明は、ワイヤレス送信装置によってリモート装置に送信されたテスト信号の送信の正確さを決定する方法およびシステムに関する。
【背景技術】
【０００２】
ウォーキートーキー（Walkie-Talkie）を用いる第１人物が同じくウォーキートーキーを用いる第２人物に話し掛ける時、第１人物（ファーストパースン）は、第１人物のウォーキートーキーから第２人物（セカンドパースン）のウォーキートーキーにどのような正確さで送信が行われているのかを認識することができない。
【発明の開示】
【発明が解決しようとする課題】
【０００３】
したがって、第１人物のウォーキートーキーから第２人物のウォーキートーキーにどのような正確さで送信が行われているのかについて第１人物による認識の欠如を解決する方法およびシステムに対する要望が存在することになる。
【課題を解決するための手段】
【０００４】
本発明の第１の構成においては、
ワイヤレス方式の第１トランシーバ装置によってテスト信号を第２トランシーバ装置に送信するステップと、
第２トランシーバ装置からのリターン信号を第１トランシーバ装置によって受信するステップと、
を備え、リターン信号は第２トランシーバ装置によって受信された後に第２トランシーバ装置によって第１トランシーバ装置に再送信されたテスト信号であり、第２トランシーバ装置のユーザによるマニュアル介入なしに第２トランシーバ装置によるテスト信号の受信および再送信が成し遂げられる、
テスト信号の送信の正確さを確認する方法が提供される。
【０００５】
本発明の第２の構成においては、
ワイヤレス方式の第１トランシーバ装置によって第２トランシーバ装置に送信されたテスト信号を第２トランシーバ装置によって受信するステップと、
第２トランシーバ装置のユーザによるマニュアル介入なしに第１トランシーバ装置へのテスト信号を第２トランシーバ装置によって再送信するステップと、
を備える、テスト信号を再送信する方法が提供される。
【０００６】
本発明の第３の構成においては、
ワイヤレス方式の第１トランシーバ装置を備えた、テスト信号の送信の正確さを確認するシステムであって、第１トランシーバ装置が、
第２トランシーバ装置にテスト信号を送信し、かつ
第２トランシーバ装置からのリターン信号を受信する、
ように構成され、リターン信号は第２トランシーバ装置によって受信された後に第２トランシーバ装置によって第１トランシーバ装置に再送信されたテスト信号であり、第２トランシーバ装置のユーザによるマニュアル介入なしに第２トランシーバ装置によるテスト信号の受信および再送信が成し遂げられる、
テスト信号の送信の正確さを確認するシステムが提供される。
【０００７】
本発明の第４の構成においては、
ワイヤレス方式の第１トランシーバ装置によって第２トランシーバ装置に送信されたテスト信号を受信し、かつ
第２トランシーバ装置のユーザによるマニュアル介入なしに第１トランシーバ装置にテスト信号を再送信する、
ように構成された第２トランシーバ装置を備えている、テスト信号を再送信するシステムが提供される。
【発明を実施するための最良の形態】
【０００８】
本発明は、第１人物のウォーキートーキーから第２人物のウォーキートーキーにどのような正確さで送信が行われているのかについて第１人物による認識の欠如を解決する方法およびシステムを提供するものである。
【０００９】
図１は、本発明に従って構成された、互いに通信し合う第１トランシーバ装置１１および第２トランシーバ装置１２を含むシステム１０を示している。ここでトランシーバ装置は、アナログ信号（すなわち、周波数トーンの系列）またはディジタル信号（すなわち、ビットパターン）のような信号の送信および受信の双方が可能な装置として定義される。この信号は２つのトランシーバ装置間のワイヤレス通信に用いられうる無線周波数範囲または他の周波数範囲におけるような電磁信号でありうる。第１トランシーバ装置１１はワイヤレス方式である。第２トランシーバ装置１２はワイヤレス方式でも良いし、非ワイヤレス方式であってもよい。第２トランシーバ装置１２がワイヤレス装置であるかどうかには関係なく、第１トランシーバ装置１１と第２トランシーバ装置１２との間の信号の通信は双方向の（すなわち、第１トランシーバ装置１１から第２トランシーバ装置１２へ、または第２トランシーバ装置１２から第１トランシーバ装置１１への）ワイヤレス通信である。本発明で使用可能なトランシーバ装置の一例はウォーキートーキーであるが、それはワイヤレス装置である。本発明で使用可能なトランシーバ装置の他の例はプリンタであるが、それは受信機および送信機の双方を含み、プリンタはその受信機および送信機を介してリモート携帯情報端末（リモートＰＤＡ）との通信を行うことができる。注意すべきことは、プリンタが電源から電線を介して電力の供給を受ける方式ならば、そのプリンタは非ワイヤレス方式である、ということである。それにもかかわらず、そのプリンタはＰＤＡとの通信をワイヤレスで行うことができる。
【００１０】
第１トランシーバ装置１１にはユーザ１７が結合可能である。例えば、ユーザ１７は第１トランシーバ装置１１を操作すること、すなわち使用することができる。第２トランシーバ装置１２にはユーザ１８が結合可能である。例えば、ユーザ１８は第２トランシーバ装置１２を操作すること、すなわち使用することができる。トランシーバ装置はその動作中にユーザの存在を必ずしも必要としない。本発明の幾つかの実施態様においては、双方のユーザ１７および１８はそれぞれ第１および第２トランシーバ装置１１および１２を操作するために存在している（例えば、第１トランシーバ装置１１がウォーキートーキーであり、第２トランシーバ装置１２もまたウォーキートーキーである応用例の場合）。本発明の他の実施態様においては、ユーザ１７は第１トランシーバ装置１１を操作するために存在しているが、第２トランシーバ装置１２はユーザなしに動作することができる（例えば、第１トランシーバ装置１１がＰＤＡであり、第２トランシーバ装置１２が送信機および受信機を備えたプリンタである場合）。
【００１１】
図２は本発明に従って構成された、図１の第１トランシーバ装置１１の内部構成を示すものである。第１トランシーバ装置１１は、送信機２１、受信機２２、ボタン２３、プロセッサ２４、およびメモリ２５を備えている。第１トランシーバ装置１１はさらに可視表示ユニット（例えば、メータ２６、ディジタルディスプレイ２７、可視照明灯２８および２９）のような１つまたは複数のディスプレイユニット、または可聴音響ユニット（例えば、スピーカ３０）を備えることができる。
【００１２】
図３は本発明に従って構成された、図１の第２トランシーバ装置１２の内部構成を示すものである。第２トランシーバ装置１２は、送信機３１、受信機３２、およびボタン３３を備えている
【００１３】
図１〜３において、第１トランシーバ装置１１は送信機２１を介して信号を第２トランシーバ装置１２に送信し、第２トランシーバ装置１２は受信機３２を介して第１トランシーバ装置１１からの信号を受信する。しかし、第１トランシーバ装置１１のユーザ１７は、第２トランシーバ装置１２によって受信された信号が信号歪みのために第１トランシーバ装置１１によって送信された信号と同一ではないかもしれないとの可能性があると認識することがありうる。例えば、もし信号がビットパターンを含むディジタル信号であるとすれば、そのような信号の歪みは、ビット欠け、ビット付加（例えば、ノイズによる）、ビット変更、等でありうる。信号歪みの可能性により、ユーザ１７は、そのような信号が第２トランシーバ装置１２によっていかなる正確さをもって受信されているかを知りたいと望むことがありうる。本発明は、ユーザ１７が第２トランシーバ装置１２によって受信された信号が第１トランシーバ装置１１によって送信された対応する信号と同一である（または異なる）ことに関する程度を表す指標の指示を得ることを可能とする。
【００１４】
その信号送信の正確さをテストするために、ユーザ１７はテスト信号１３を第２トランシーバ装置１２に送信するように第１トランシーバ装置１１の送信機２１を作動させる。テスト信号１３は第２トランシーバ装置１２の受信機３２によって受信されうる。テスト信号１３はアナログ信号（すなわち、周波数トーンの系列）またはディジタル信号（ビットパターン）でありうる。テスト信号１３を第２トランシーバ装置１２に送信するために第１トランシーバ装置１１によって適当な変調技術が用いられうる。テスト信号１３は、その内容および形式が第２トランシーバ装置１２にとって既知であり、または未知である、予め決定された信号でありうる。さらに、テスト信号は予め決定された変数（例えば、第１トランシーバ装置１１と第２トランシーバ装置１２との間の推測距離）の既知の関数としてダイナミックに発生されうるし、またテスト信号は第１トランシーバ装置１１内でランダム番号発生器を使用してランダムにダイナミックに発生されうる。
【００１５】
ユーザ１７はボタン２３を押圧することによってテスト信号１３の送信を活性化し、第１トランシーバ装置１１内でテストモードを活性化させるか、または代替的な公知の技術において知られた他の活性化方法によってボタン２３を押圧することによってテスト信号１３の送信を活性化させる。活性化されたテストモードは、第１トランシーバ装置１１によるテスト信号１３の送信をイネーブル（可能）とし、後述のように第２トランシーバ装置１２からのリターン信号１４の受信をイネーブルとする。テストモードの活性化はさらに後述のごとくリターン信号１４に関連してエラーＥの計算および表示をイネーブルとする。
【００１６】
テスト信号１３の受信の後、第２トランシーバ装置１２は送信機３１を介してリターン信号１４を第１トランシーバ装置１１に送信する。そのリターン信号１４は受信機２２で受信されうる。リターン信号１４は第２トランシーバ装置１２によって受信され再送信されたテスト信号１３である。したがって、リターン信号１４の送信は実質的に第１トランシーバ装置１１に戻されるテスト信号１３の再送信である。もしテスト信号１３の受信に先立って第２トランシーバ装置１２が第２トランシーバ装置１２による受信および再送信をイネーブルとするテストモードに入っていたとすれば、第２トランシーバ装置１２によるテスト信号１３の受信および再送信は第２トランシーバ装置１２のユーザ１８によるマニュアル介入なしに自動的に行われる。第２トランシーバ装置１２内のテストモードはボタン３３を押圧することによって活性化され、または代替的な公知の技術において知られた他の活性化方法によってボタン３３を押圧することによって活性化される。なおテスト信号１３の内容および形式が第２トランシーバ装置１２にとって既知のものであれば、第２トランシーバ装置１２内のテストモードはテスト信号１３の既知の内容および形式に対して第１トランシーバ装置１１からの受信されたテスト信号に基づくテスト信号１３の検出によって活性化されることもできる。他の代替的なものとして、第２トランシーバ装置１２が常にテストモードにあるように構成することもできる。
【００１７】
リターン信号１４の受信の後、第１トランシーバ装置１１はリターン信号１４内のエラーの程度を表す指標を決定する（例えば、計算する）。その場合、エラーはリターン信号１４がテスト信号１３と異なる程度を表す指標を示すものである。エラーは当業者によって知られている種々の代替技術によって数学的に定義されうるものであり、この明細書においては以下に具体例の目的でエラーがどのように定義され計算されるかの例が開示される。
【００１８】
テスト信号１３（およびリターン信号１４）がテスト信号１３の振幅を示すＡＴＥＳＴ(t)という時間ｔの関数として表され、リターン信号１４の振幅を示すＡＲＥＴＵＲＮ(t)という時間ｔの関数として表されるアナログ信号であるとすれば、エラーＥは、
Ｅ＝(∫ＡRETURN(t)dt - ∫ＡTEST(t)dt)/ (∫ＡTEST(t)dt)          （１）
として計算される。式（１）において、信号ＡＴＥＳＴ(t)およびＡＲＥＴＵＲＮ(t)が存在する時間にわたって積分値が評価される。式（１）のエラーＥはそれを１００倍したパーセントに変換されうる。      
【００１９】
テスト信号１３（およびリターン信号１４）がディジタル信号であれば、エラーＥは、
Ｅ＝ＮＥＲＲＯＲ/ＮＴＯＴＡＬ                                     （２）
として計算される。式（２）において、ＮＥＲＲＯＲはリターン信号１４におけるエラービットの数であり、ＮＴＯＴＡＬはテスト信号１３における全ビット数である。エラービットはビット欠け、ビット付加、またはビット変更である。もしエラービットがビット付加またはビット変更であるとすれば、リターン信号１４にはエラービットが事実上存在する。もしエラービットがビット欠けであるとすれば、リターン信号１４にはエラービットが事実上存在しない。式（２）のエラーＥはそれを１００倍したパーセントに変換されうる。
【００２０】
テスト信号１３およびリターン信号１４の分析、およびエラーＥの計算は第１トランシーバ装置１１内でプロセッサ２４によるコードの実行によって行われる。ここで、コードはメモリ２５内に格納されている。メモリは揮発性メモリ（例えば、読出し専用メモリ（ＲＯＭ））または不揮発性メモリ（ダイナミックランダムアクセスメモリ（ＤＲＡＭ））またはその両者のような当業者にとって公知のいかなる種類のメモリであってもよい。実行可能なコードは不揮発性メモリに組み込まれ、または第１トランシーバ装置１１内のミニテープユニットのような組込型ミニ記憶装置を通してアクセスされうる。
【００２１】
エラーが計算された後、第１トランシーバ装置１１はそのエラーＥを当業者によって知られた方式により以下に非限定的な例として示したようにして表示することができる。ここで、エラーＥの表示はプロセッサ２４によるコードの実行によって行われる。エラーＥがどのようにして表示されるかの第１例がメータ２６の使用である。図２では、メータ２６はエラーＥをパーセントとしてその大きさ（すなわち、高さ）で表されたバーを示している。エラーＥがどのようにして表示されるかの第２例はディジタルディスプレイ２７（例えば、発光ダイオード（ＬＥＤ））の使用であり、図２ではエラーを「８７％」と表示する。
【００２２】
エラーＥがどのようにして表示されるかの第３例が照明可能領域（照明灯）２８および２９の使用である。これらの領域は点灯やフラッシング等のような種々の方法で「ターンオン」させることが可能である。もし照明可能領域２８がターンオンされたら、テスト信号１３の送信は「良好」である（すなわち、エラーＥが最大許容エラーＥＭＡＸを下まわっている）。それに対して照明可能領域２９がターンオンされたら、テスト信号１３の送信は「不良」である（すなわち、エラーＥがＥＭＡＸを下まわっていない）。最大許容エラーＥＭＡＸはある実施態様では組込型でありうるし、他の実施態様ではユーザの選択事項またはユーザの入力可能事項でありうる。図３は２つの照明可能領域２８および２９しか示していないが、第１トランシーバ装置１１は任意数の照明可能領域を備えることができる。例えば、明らかに良好な送信、明らかに不良の送信、および、かろうじて許容できる限界的な送信の間の区別を付けるために３つの照明可能領域が用いられうる。もし、Ｎ個の照明可能領域が存在するならば（Ｎ．２）、エラーＥがＮ個の照明可能領域のうちのいずれに対応するかを決定するためにＮ―１個のエラー区分値を用いなければならない。Ｎ―１個のエラー区分値はある実施態様では組込型であり、またはユーザーの選択事項であり、または他の実施態様ではユーザーの入力事項である。
【００２３】
エラーＥがどのようにして表示されるかの第４例がスピーカ３０またはベル、チャイム等の使用のような可聴音響ユニットの使用である。音響ユニットは上述の照明可能領域（例えば、照明可能領域２８および２９）によって与えられる可視ディスプレイに対してアナログ的である。例えば、言葉または音響がスピーカ３０を介して表現され、その場合、異なる言葉または音響はエラーＥの異なる領域（例えば、「良好」領域、「不良」領域、等）を表すものとする。もしベルやチャイムが用いられるとすれば、異なる音響またはトーンがエラーＥの異なる領域を表すものとなる。
【００２４】
図４は図１の第１トランシーバ装置１１が図１の第２トランシーバ装置１２にテスト信号１３を送信し、第２トランシーバ装置１２からリターン信号１４を受信する、本発明の実施例による方法のフローチャートを示すものである。ステップ４１で、図２に関連して述べたように例えばボタン２３を押圧することによって第１トランシーバ装置１１においてテストモードを活性化させる。テストモードの活性化はアナログ信号またはディジタル信号としてテスト信号１３の送信を開始させる。アナログ信号が送信されるべき場合は、周波数トーンの固定系列がステップ４１において送信される。しかし、ディジタル信号が送信されるべき場合は、ステップ４２において固定のビットパターンが送信される。第２トランシーバ装置１２がテスト信号１３を受信し、そのテスト信号１３をリターン信号１４として再送信した後、第１トランシーバ装置１１がステップ４３においてリターン信号１４を受信する。次いで第１トランシーバ装置１１がリターン信号１４のエラーＥ（上述のテスト信号１３に関する）をステップ４４において決定する。第１トランシーバ装置１１はステップ４５においてエラーＥを表示する。
【００２５】
図５は図１の第２トランシーバ装置１２が図１の第１トランシーバ装置１１からのテスト信号１３を受信し、第１トランシーバ装置１１にリターン信号１４を送信する、本発明の実施例による方法のフローチャートを示すものである。ステップ５１において第２トランシーバ装置１２が第１トランシーバ装置１１からのテスト信号１３を受信する。ステップ５２において第２トランシーバ装置１２がテスト信号１３をリターン信号１４として第１トランシーバ装置１１に再送信する。図５は、第２トランシーバ装置１２がステップ５１および５２の実行中にテストモードにあるものと仮定している。
【００２６】
第２トランシーバ装置１２は第１トランシーバ装置１１に類似し、または同一機能のものとして構成することができる。それ故に、第２トランシーバ装置１２は、第１トランシーバ装置１１に関して説明したのと同様にして、テスト信号を第３トランシーバ装置に送信し、第３トランシーバ装置からのリターン信号を受信するようにすることもできる。
【００２７】
本発明の実施例は具体例の目的で説明してきたが、当業者にとっては多くの変形および変更が可能であることは明らかである。したがって、添付した特許請求の範囲は本発明の精神および範囲内においてそのような変形および変更を全て包含するものである。
【図面の簡単な説明】
【００２８】
【図１】本発明の実施例に従って構成された、互いに通信し合う第１トランシーバ装置と第２トランシーバ装置とを含むシステムのブロック図である。
【図２】本発明の実施例に従って構成された、図１の第１トランシーバ装置の内部構成図である。
【図３】本発明の実施例に従って構成された、図１の第２トランシーバ装置の内部構成図である。
【図４】本発明の実施例に従って構成された、図１の第１トランシーバ装置が図１の第２トランシーバ装置にテスト信号を送信し、第２トランシーバ装置からのリターン信号を受信する方法を説明するフローチャートである。
【図５】本発明の実施例に従って構成された、図１の第２トランシーバ装置が図１の第１トランシーバ装置からテスト信号を受信し、第１トランシーバ装置にリターン信号を送信する方法を説明するフローチャートである。
【図１】
2005530441.tif 000003
【図２】
2005530441.tif 000004
【図３】
2005530441.tif 000005
【図４】
2005530441.tif 000006
【図５】
2005530441.tif 000007
【国際調査報告】
2005530441.tif 000008
2005530441.tif 000009